【手続補正書】
【提出日】平成16年11月26日(2004.11.26)
【手続補正１】
【補正対象書類名】明細書
【補正対象項目名】全文
【補正方法】変更
【補正の内容】
【書類名】      明細書
【発明の名称】  遊技板及びパチンコ機
【特許請求の範囲】
【請求項１】  パチンコ球を誘導するガイドレールと、入賞装置等を設けた遊技領域とを有する遊技板において、
ベニヤ板の板面の全周又は周縁の一部から外側に張り出すように拡張部材を別途取着し、その拡張部材の上面を通るようにガイドレールを取り付けて遊技領域を拡張するようにしたことを特徴とする遊技板。
【請求項２】  遊技用装飾部品の取付基板を板外に延長し、その延長部分を拡張部材にして遊技領域を拡張するようにしたことを特徴とする請求項１記載の遊技板。
【請求項３】  前記拡張部材の取付基板をベニヤ板の板面に設置し、しかもその取付基板をベニヤ板と同サイズにして遊技領域を除く板面全部をカバーするようにしたことを特徴とする請求項１記載の遊技板。
【請求項４】  請求項１乃至３の何れか１項に記載の遊技板を装着したパチンコ機。
【発明の詳細な説明】
【０００１】
【発明の属する技術分野】
本発明は、遊技板及びパチンコ機に関する。
【０００２】
【従来の技術】
従来のパチンコ機Ｐを図１０〜図１３により説明する。なお、図１０はパチンコ機の正面図、図１１はパチンコ機の裏面図、図１２はガラス扉枠を開いた状態を示すパチンコ機の斜視図、図１３は要部を示す一部拡大断面図である。
【０００３】
パチンコ機Ｐは、四角い枠状の外枠１とその外枠１の前面に位置する合成樹脂製の前枠２とから概略構成される。外枠１と前枠２にはそれぞれの一側上下にヒンジ部材３，３が設けられており、外枠１のヒンジ部材３と前枠２のヒンジ部材３を嵌め合わせることにより外枠１の前面に前枠２が開閉動自在に軸着される。
【０００４】
前枠２は左右の縦フレーム２Ａ，２Ｂと上フレーム２Ｃと下フレーム２Ｄで窓孔４を囲ういわゆる額縁形態であり、縦フレーム２Ａ，２Ｂと上フレーム２Ｃの裏側に一体に突設した桟枠部材５と、下フレーム２Ｄの裏側に一体に突設した下部遊技板６で遊技板７を保持する。
【０００５】
遊技板７の正面にはガイドレール８で囲まれた円形の遊技領域７Ｐがあり、その遊技領域７Ｐの中に可変表示装置９や入賞装置１０などが配設されている。また、前枠２の正面には窓孔４の上半部強を塞ぐように開閉自在なガラス扉枠１１が設けられ、また、窓孔４の下半部弱を塞ぐように球皿１２付の前面板１３が開閉自在に取り付けられている。
【０００６】
一方、前枠２の裏側には球タンク１４や景品球放出装置１５などを設けた機構板１６が取り付けられている。この機構板１６と前枠２にはそれぞれ図１１において右側の上下にヒンジ部材１７，１７が設けられており、前枠２のヒンジ部材１７と機構板１６のヒンジ部材１７を嵌め合わせることにより前枠２の裏面に機構板１６が開閉動自在に軸着される。
【０００７】
【発明が解決しようとする課題】
前記可変表示装置９は表示内容が高度化複雑化するのに伴って大型化する傾向にあったが、遊技領域７Ｐの広さが限られているため現在ほぼ限界に達している。
【０００８】
本発明は上記に鑑みなされたもので、その目的はベニヤ板の限界を超えた広さに遊技板の遊技領域を拡張することにある。
【０００９】
上記の目的を達成するため本発明は、パチンコ球を誘導するガイドレールと、入賞装置等を設けた遊技領域とを有する遊技板において、ベニヤ板の板面の全周又は周縁の一部から外側に張り出すように拡張部材を別途取着し、その拡張部材の上面を通るようにガイドレールを取り付けて遊技領域を拡張するようにした。
【００１０】
【発明の実施の形態】
以下に本発明の実施の形態を図面を参照しつつ説明する。なお、図１は要部の分解斜視図、図２（ａ）は遊技板の正面図、（ｂ）はガイドレールを取り付けた遊技板の正面図、図３は要部の横断平面図、図４（ａ）は遊技板の正面図、（ｂ）はガイドレールを取り付けた遊技板の正面図、図５は要部の横断平面図、図６（ａ）はＸ−Ｘ断面を含む遊技板の分解正面図、（ｂ）は完成状態の遊技板の正面図、図７は要部の横断平面図、図８（ａ）は遊技板の分解正面図、（ｂ）は完成状態の遊技板の正面図、図９は要部の斜視図である。
【００１１】
パチンコ機Ｐの構成は概ね上記の従来技術で説明したとおりであって、図１０〜図１４と同一の符号を付した部分は同一又は同機能の部分であり説明を省略する。
【００１２】
しかして本発明の遊技板７０は、ベニヤ板１８の板面の全周又は周縁の一部から外側に張り出すように拡張部材１９を別途取着し、その拡張部材１９の上面を通るようにガイドレール８を取り付けて遊技領域７Ｐを拡張するようにしたことを特徴とする。なお、ここでいうベニヤ板１８は従来の遊技板７と同一である。
【００１３】
前記拡張部材１９は合成樹脂の成型品であって、図１に示したように、釘孔２０付きの取付基板２１と、その取付基板２１の前縁から直角に延設した弧状の板面拡張片２２と、前記板面拡張片２２の周縁に突設したガイド片２３とからなり、図２（ａ），図３に示したように、板面拡張片２２がベニヤ板１８の板面と面一となるようにベニヤ板１８の一側縁に釘２４，２４（又はビスや接着剤）などで別途取り付けられる。
【００１４】
そして拡張部材１９を取り付けた遊技板７０に、図２（ｂ）に示したように拡張部材１９のガイド片２３に沿わせてガイドレール８を取り付ければ、ベニヤ板１８のサイズを変更することなく、拡張部材１９のはみ出し分だけ遊技領域７Ｐを拡張することができる。
【００１５】
なお、遊技板７０のパチンコ機Ｐへの装着方式には前枠２の前方から装着する方法と、前枠２の裏側から装着する方法があるが、そのいずれの装着方式でも適用可能である。そしてもし、遊技板７０の遊技領域７Ｐを拡張したことによって機構板１６の桟枠部材５とガイドレール８や拡張部材１９のガイド片２３が衝合する位置関係になる場合は、桟枠部材５に切欠を設けてガイドレール８等との衝合を回避する。
【００１６】
図４，図５は拡張部材１９の他の形態を示したものであり、前記拡張部材１９の取付基板２１をベニヤ板１８の板面に設置し、しかもその取付基板２１を遊技用装飾部品２５の取付基板としても兼用するようにしたものである。換言すればこの実施態様は、遊技用装飾部品２５の取付基板を板外に延長し、その延長部分を拡張部材１９にして遊技領域７Ｐを拡張するようにしたものであり、遊技用装飾部品２５の組み付けと拡張部材１９の取り付けが一工程で完了する、という組立工程上の優位性がある。
【００１７】
図６，図７は拡張部材１９の他の形態を示したものであり、前記拡張部材１９の取付基板２１をベニヤ板１８の板面に設置し、しかもその取付基板２１をベニヤ板１８と同サイズにして遊技領域７Ｐを除く板面全部をカバーするようにしたものである。そして取付基板２１に遊技領域７Ｐを囲うレール止め２６（図６（ａ）Ｘ−Ｘ断面参照。）を設けてガイドレール８を取り付けるようになし、もって拡張部材１９とガイドレール８をユニット化して遊技板７０に取り付けることができる。この実施形態では取付基板２１のコーナー部分にランプなどの装飾部品を取り付けてユニット化の対象範囲を拡大してもよい。
【００１８】
図８は拡張部材１９の他の形態を示したものである。この実施形態は、前記図１〜図７の拡張部材１９の張り出し形態が必要最小限の大きさであるのに対し、遊技板７０の一辺の全部を張り出させるようにしたものである。このような取付基板２１の張り出し部分はベニヤ板１８の他辺の一又は二辺にも設けたり、或いはベニヤ板１８の全周に設けるようにしてもよい。
【００１９】
なお、図６〜図８に示した実施形態の遊技板７０であって、前枠２の表側から着脱する形式のものにおいて、図９に示したように、ベニヤ板１８を覆う取付基板２１に受部２７を形成し、その受部２７に桟枠部材５側の弾性フック２８を係合させるようにすれば、ガイドレール８と拡張部材１９をユニット化したメリットがさらに増大する。
【００２０】
【発明の効果】
以上説明したように本発明によれば、ベニヤ板のみでは達成できない広さに遊技領域を拡張することができ、しかもそれが極めて低コストに行える優れた効果がある。
【図面の簡単な説明】
【図１】  要部の分解斜視図である。
【図２】  （ａ）は遊技板の正面図、（ｂ）はガイドレールを取り付けた遊技板の正面図である。
【図３】  要部の横断平面図である。
【図４】  （ａ）は遊技板の正面図、（ｂ）はガイドレールを取り付けた遊技板の正面図である。
【図５】  要部の横断平面図である。
【図６】  （ａ）はＸ−Ｘ断面を含む遊技板の分解正面図、（ｂ）は完成状態の遊技板の正面図である。
【図７】  要部の横断平面図である。
【図８】  （ａ）は遊技板の分解正面図、（ｂ）は完成状態の遊技板の正面図である。
【図９】  要部の斜視図である。
【図１０】  従来のパチンコ機の正面図である。
【図１１】  従来のパチンコ機の裏面図である。
【図１２】  ガラス扉枠を開いた状態を示す従来のパチンコ機の斜視図である。
【図１３】  従来のパチンコ機の要部を示す一部拡大断面図である。
【符号の説明】
Ｐ  …パチンコ機
８  …ガイドレール
１０…入賞装置
７０…遊技板
７Ｐ…遊技領域
１８…ベニヤ板
１９…拡張部材
２１…取付基板
２５…遊技用装飾部品